(57)【要約】【課題】天井スラブに吊りボルトとブレースとを施工する際の作業効率を向上させる。【解決手段】吊り金具１は、外周面に雄螺子が形成された吊りボルト２と、吊りボルト２の上部において雄螺子と螺合した状態に取り付けられ、揺動可能な一対の連結アーム３３，３４を有する第１のブレース連結部３ａと、吊りボルト２の下部において雄螺子と螺合した状態に取り付けられ、揺動可能な一対の連結アーム３３，３４を有する第２のブレース連結部３ｂと、第１のブレース連結部３ａに設けられる一対の連結アーム３３，３４のそれぞれに対して予め上端部が固定される一対のブレース４ａ，４ｂとを備える構成である。【選択図】図１
2016205436.tif 000002
【特許請求の範囲】
【請求項１】
外周面に雄螺子が形成された吊りボルトと、
前記吊りボルトの上端側において前記雄螺子と螺合した状態に取り付けられ、揺動可能な一対の連結アームを有する第１のブレース連結部と、
前記吊りボルトの下端側において前記雄螺子と螺合した状態に取り付けられ、揺動可能な一対の連結アームを有する第２のブレース連結部と、
前記第１のブレース連結部に設けられる前記一対の連結アームのそれぞれに対して予め上端部が固定される一対のブレースと、
を備えることを特徴とする吊り金具。
【請求項２】
前記第１及び第２のブレース連結部のそれぞれに設けられる前記連結アームは、先端がＬ字状に折り曲げられた平板部を有し、該平板部に前記ブレースを挿通する孔が形成された構成であり、
前記一対のブレースは、上端部が前記第１のブレース連結部の前記一対の連結アームのそれぞれに設けられる前記平板部の前記孔に挿通され、前記平板部を挟んで複数のナットで前記連結アームに固定されることを特徴とする請求項１に記載の吊り金具。
【請求項３】
請求項１又は２に記載の吊り金具を複数用いて施工する吊り金具の施工方法であって、
前記複数の吊り金具のうちの第１の吊り金具に設けられた前記吊りボルトの上端部を天井スラブに設けられた第１の螺子孔に螺合挿入することにより前記第１の吊り金具を天井スラブに固定する工程と、
前記複数の吊り金具のうちの第２の吊り金具に設けられた前記吊りボルトの上端部を天井スラブに設けられた第２の螺子孔に螺合挿入することにより前記第２の吊り金具を天井スラブに固定する工程と、
前記第１の吊り金具に設けられた前記一対のブレースのうちの一方のブレースの下端部を前記第２の吊り金具の前記第２のブレース連結部に連結して固定する工程と、
前記第２の吊り金具に設けられた前記一対のブレースのうちの一方のブレースの下端部を前記第１の吊り金具の前記第２のブレース連結部に連結して固定する工程と、
を有することを特徴とする吊り金具の施工方法。
【請求項４】
第１の金具と、第２の金具とを有する吊り金具であって、
前記第１の金具は、
外周面に雄螺子が形成された第１の吊りボルトと、
前記第１の吊りボルトの上端側において前記雄螺子と螺合した状態に取り付けられ、揺動可能な一対の連結アームを有する第１のブレース連結部と、
前記第１の吊りボルトの下端側において前記雄螺子と螺合した状態に取り付けられ、揺動可能な一対の連結アームを有する第２のブレース連結部と、
前記第１のブレース連結部に設けられる前記一対の連結アームのそれぞれに対して予め上端部が固定される一対のブレースと、
を備え、
前記第２の金具は、
外周面に雄螺子が形成された第２の吊りボルトと、
前記第２の吊りボルトの上端側において前記雄螺子と螺合した状態に取り付けられ、揺動可能な一対の連結アームを有する第３のブレース連結部と、
前記第２の吊りボルトの下端側において前記雄螺子と螺合した状態に取り付けられ、揺動可能な一対の連結アームを有する第４のブレース連結部と、
前記第３のブレース連結部に設けられる前記一対の連結アームのそれぞれに対して予め上端部が固定される一対のブレースと、
を備え、
前記第１の金具に設けられる前記一対のブレースのうちの一方のブレースの下端部が前記第２の金具の前記第４のブレース連結部に設けられる前記一対の連結アームのうちの一方に装着され、前記第２の金具に設けられる前記一対のブレースのうちの一方のブレースの下端部が前記第１の金具の前記第２のブレース連結部に設けられる前記一対の連結アームのうちの一方に装着されることを特徴とする吊り金具。
【請求項５】
前記第１乃至第４のブレース連結部のそれぞれに設けられる前記連結アームは、先端がＬ字状に折り曲げられた平板部を有し、該平板部に前記ブレースを挿通する孔が形成された構成であり、
前記第１及び第２の金具のそれぞれに設けられる前記一対のブレースは、前記第１及び第３のブレース連結部の前記一対の連結アームのそれぞれに設けられる前記平板部の前記孔に挿通され、前記平板部を挟んで複数のナットで前記連結アームに固定されることを特徴とする請求項４に記載の吊り金具。
【請求項６】
前記第１の金具に設けられる前記一対のブレースのうちの前記一方のブレースは、下端部が前記第２の金具の前記第４のブレース連結部に設けられる前記一対の連結アームのうちの一方の前記平板部に設けられた前記孔に挿通され、先端側の前記平板部から離間した位置にナットが装着されると共に、
前記第２の金具に設けられる前記一対のブレースのうちの前記一方のブレースは、下端部が前記第１の金具の前記第２のブレース連結部に設けられる前記一対の連結アームのうちの一方の前記平板部に設けられた前記孔に挿通され、先端側の前記平板部から離間した位置にナットが装着されることを特徴とする請求項５に記載の吊り金具。
【請求項７】
請求項４乃至６のいずれかに記載の吊り金具の施工方法であって、
前記第１の金具に設けられる前記第１の吊りボルトの上端部を天井スラブに設けられた第１の螺子孔に螺合挿入することにより前記第１の吊りボルトを天井スラブに固定する工程と、
前記第２の金具に設けられる前記第２の吊りボルトの上端部を天井スラブに設けられた第２の螺子孔に螺合挿入することにより前記第２の吊りボルトを天井スラブに固定する工程と、
前記第１の金具に設けられた前記一対のブレースのうちの一方のブレースの下端部を、予め装着されている前記第４のブレース連結部の一方の連結アームに固定する工程と、
前記第２の金具に設けられる前記一対のブレースのうちの一方のブレースの下端部を、予め装着されている前記第２のブレース連結部の一方の連結アームに固定する工程と、
を有することを特徴とする吊り金具の施工方法。
【発明の詳細な説明】
【技術分野】
【０００１】
本発明は、天井構造物を吊り下げた状態に支持する吊り金具及びその施工方法に関する。
【背景技術】
【０００２】
天井スラブから垂下するように設けられる吊りボルトは、空気調和機や照明器具、各種配管などの様々な天井構造物を懸吊支持する。従来、この種の吊りボルトに対して斜め補強材となるブレースを取り付けることにより、地震発生時において吊りボルトの振動を抑制するようにしたブレース連結金具が公知である（特許文献１）。例えば特許文献１には、天井スラブから垂下状態に取り付けられた吊りボルトに対して装着可能であり、一対のブレースを支持することが可能なブレース連結金具が開示されている。
【先行技術文献】
【特許文献】
【０００３】
【特許文献１】特開２０１４−１２５８１２号公報
【発明の概要】
【発明が解決しようとする課題】
【０００４】
しかしながら、従来のブレース連結金具を新規建造物の建築現場において施工しようとすると、まず天井スラブに複数の吊りボルトを取り付けた後、それら複数の吊りボルトの上下２箇所に対してブレース連結金具を取り付け、４本の吊りボルトの間に一対のブレースを交叉配置した状態に固定にすることが必要である。例えば空気調和機の周囲４箇所を４本の吊りボルトで支持する場合には、天井スラブに４本の吊りボルトを取り付けた後、それら４本の吊りボルトに対して合計８個のブレース連結金具を１つずつ取り付けていく必要があり、作業効率が悪い。
【０００５】
特に吊りボルトの施工は、作業者が自走式リフト車に乗った状態での高所作業となり、作業空間が著しく狭いため、施工時の工程数が多くなる程、作業効率が低下する。それ故、従来のブレース連結金具を用いた施工では、吊りボルトの取り付けから始めて全てのブレースの取り付けが完了するまでに十数分から数十分を要していた。
【０００６】
そこで本発明は、上記従来の問題点を解決するため、天井スラブに対して吊りボルトとブレースとを取り付ける際の作業効率を従来よりも著しく向上させることができる吊り金具及びその施工方法を提供することを、その目的とする。
【課題を解決するための手段】
【０００７】
上記目的を達成するため、請求項１に係る発明は、吊り金具(1)であって、外周面に雄螺子が形成された吊りボルト(2)と、前記吊りボルト(2)の上端側において前記雄螺子と螺合した状態に取り付けられ、揺動可能な一対の連結アーム(33,34)を有する第１のブレース連結部(3a)と、前記吊りボルト(2)の下端側において前記雄螺子と螺合した状態に取り付けられ、揺動可能な一対の連結アーム(33,34)を有する第２のブレース連結部(3b)と、前記第１のブレース連結部(3a)に設けられる前記一対の連結アーム(33,34)のそれぞれに対して予め上端部が固定される一対のブレース(4a,4b)と、を備えることを特徴とする構成である。
【０００８】
このような構成によれば、吊りボルト(2)の上部に一対のブレース(4a,4b)の上端部を固定した状態のままで吊りボルト(2)を天井スラブに施工することができるため、作業効率が向上する。
【０００９】
請求項２に係る発明は、請求項１に記載の吊り金具(1)において、前記第１及び第２のブレース連結部(3a,3b)のそれぞれに設けられる前記連結アーム(33,34)は、先端がＬ字状に折り曲げられた平板部(33b,34b)を有し、該平板部(33b,34b)に前記ブレース(4a,4b)を挿通する孔(33c,34c)が形成された構成であり、前記一対のブレース(4a,4b)は、上端部が前記第１のブレース連結部(3a)の前記一対の連結アーム(33,34)のそれぞれに設けられる前記平板部(33b,34b)の前記孔(33c,34c)に挿通され、前記平板部(33b,34b)を挟んで複数のナット(5,5)で前記連結アーム(33,34)に固定されることを特徴とする構成である。
【００１０】
請求項３に係る発明は、請求項１又は２に記載の吊り金具(1)を複数用いて施工する吊り金具の施工方法であって、前記複数の吊り金具(1a,1b)のうちの第１の吊り金具(1a)に設けられた前記吊りボルト(2)の上端部を天井スラブ(101)に設けられた第１の螺子孔(9a)に螺合挿入することにより前記第１の吊り金具(1a)を天井スラブ(101)に固定する工程と、前記複数の吊り金具(1a,1b)のうちの第２の吊り金具(1b)に設けられた前記吊りボルト(2)の上端部を天井スラブ(101)に設けられた第２の螺子孔(9a)に螺合挿入することにより前記第２の吊り金具(1b)を天井スラブ(101)に固定する工程と、前記第１の吊り金具(1a)に設けられた前記一対のブレースのうちの一方のブレース(4b)の下端部を前記第２の吊り金具(1b)の前記第２のブレース連結部(3b)に連結して固定する工程と、前記第２の吊り金具(1b)に設けられた前記一対のブレースのうちの一方のブレース(4a)の下端部を前記第１の吊り金具(1a)の前記第２のブレース連結部(3b)に連結して固定する工程と、を有することを特徴とする構成である。
【００１１】
請求項４に係る発明は、第１の金具(1a)と、第２の金具(1b)とを有する吊り金具(10)であって、前記第１の金具(1a)は、外周面に雄螺子が形成された第１の吊りボルト(2a)と、前記第１の吊りボルト(2a)の上端側において前記雄螺子と螺合した状態に取り付けられ、揺動可能な一対の連結アーム(33,34)を有する第１のブレース連結部(3a)と、前記第１の吊りボルト(2a)の下端側において前記雄螺子と螺合した状態に取り付けられ、揺動可能な一対の連結アーム(33,34)を有する第２のブレース連結部(3b)と、前記第１のブレース連結部(3a)に設けられる前記一対の連結アーム(33,34)のそれぞれに対して予め上端部が固定される一対のブレース(4a,4b)と、を備え、前記第２の金具(1b)は、外周面に雄螺子が形成された第２の吊りボルト(2b)と、前記第２の吊りボルト(2b)の上端側において前記雄螺子と螺合した状態に取り付けられ、揺動可能な一対の連結アーム(33,34)を有する第３のブレース連結部(3c)と、前記第２の吊りボルト(2b)の下端側において前記雄螺子と螺合した状態に取り付けられ、揺動可能な一対の連結アーム(33,34)を有する第４のブレース連結部(3d)と、前記第３のブレース連結部(3c)に設けられる前記一対の連結アーム(33,34)のそれぞれに対して予め上端部が固定される一対のブレース(4c,4d)と、を備え、前記第１の金具(1a)に設けられる前記一対のブレース(4a,4b)のうちの一方のブレース(4b)の下端部が前記第２の金具(1b)の前記第４のブレース連結部(3d)に設けられる前記一対の連結アーム(33,34)のうちの一方に装着され、前記第２の金具(1b)に設けられる前記一対のブレース(4c,4d)のうちの一方のブレース(4c)の下端部が前記第１の金具(1a)の前記第２のブレース連結部(3b)に設けられる前記一対の連結アーム(33,34)のうちの一方に装着されることを特徴とする構成である。
【００１２】
請求項５に係る発明は、請求項４に記載の吊り金具(10)において、前記第１乃至第４のブレース連結部(3a,3b,3c,3d)のそれぞれに設けられる前記連結アーム(33,34)は、先端がＬ字状に折り曲げられた平板部(33b,34b)を有し、該平板部(33b,34b)に前記ブレース(4a,4b,4c,4d)を挿通する孔(33c,34c)が形成された構成であり、前記第１及び第２の金具(1a,1b)のそれぞれに設けられる前記一対のブレース(4a,4b,4c,4d)は、前記第１及び第３のブレース連結部(3a,3c)の前記一対の連結アーム(33,34)のそれぞれに設けられる前記平板部(33b,34b)の前記孔(33c,34c)に挿通され、前記平板部(33b,34b)を挟んで複数のナット(5,5)で前記連結アーム(33,34)に固定されることを特徴とする構成である。
【００１３】
請求項６に係る発明は、請求項５に記載の吊り金具(10)において、前記第１の金具(1a)に設けられる前記一対のブレース(4a,4b)のうちの前記一方のブレース(4b)は、下端部が前記第２の金具(1b)の前記第４のブレース連結部(3d)に設けられる前記一対の連結アーム(33,34)のうちの一方の前記平板部(33b)に設けられた前記孔(33c)に挿通され、先端側の前記平板部(33b)から離間した位置にナット(6)が装着されると共に、前記第２の金具(1b)に設けられる前記一対のブレース(4c,4d)のうちの前記一方のブレース(4c)は、下端部が前記第１の金具(1a)の前記第２のブレース連結部(3b)に設けられる前記一対の連結アーム(33,34)のうちの一方の前記平板部(34b)に設けられた前記孔(34c)に挿通され、先端側の前記平板部(34b)から離間した位置にナット(6)が装着されることを特徴とする構成である。
【００１４】
請求項７に係る発明は、請求項４乃至６のいずれかに記載の吊り金具(10)の施工方法であって、前記第１の金具(1a)に設けられる前記第１の吊りボルト(2a)の上端部を天井スラブ(101)に設けられた第１の螺子孔(9a)に螺合挿入することにより前記第１の吊りボルト(2a)を天井スラブ(101)に固定する工程と、前記第２の金具(1b)に設けられる前記第２の吊りボルト(2b)の上端部を天井スラブ(101)に設けられた第２の螺子孔(9a)に螺合挿入することにより前記第２の吊りボルト(2b)を天井スラブ(101)に固定する工程と、前記第１の金具(1a)に設けられた前記一対のブレース(4a,4b)のうちの一方のブレース(4b)の下端部を、予め装着されている前記第４のブレース連結部(3d)の一方の連結アーム(33)に固定する工程と、前記第２の金具(1b)に設けられる前記一対のブレース(4c,4d)のうちの一方のブレース(4c)の下端部を、予め装着されている前記第２のブレース連結部(3b)の一方の連結アーム(34)に固定する工程と、を有することを特徴とする構成である。
【発明の効果】
【００１５】
本発明によれば、吊りボルトの上部に一対のブレースの上端部を固定した状態のままで吊りボルトを天井スラブに固定することができるため、作業効率が向上し、従来よりも短時間で施工することができるようになる。
【図面の簡単な説明】
【００１６】
【図１】第１実施形態における吊り金具を示す図である。
【図２】ブレース連結部を拡大して示す斜視図である。
【図３】吊り金具においてブレース連結部が取り付けられた部分を拡大して示す図である。
【図４】第１実施形態における吊り金具の施工例を示す図である。
【図５】天井スラブに２つの吊り金具が取り付けられた状態を示す図である。
【図６】２つの吊り金具の間でブレースを交叉配置した状態を示す図である。
【図７】４つの吊り金具の間でブレースを交叉配置した状態を示す図である。
【図８】４つの吊り金具によって天井構造物を吊り下げ支持した状態を示す図である。
【図９】第２実施形態における吊り金具を示す図である。
【図１０】第２実施形態における吊り金具を展開した状態を示す図である。
【図１１】第２実施形態における吊り金具の施工例を示す図である。
【発明を実施するための形態】
【００１７】
以下、本発明の好ましい実施形態について図面を参照しつつ詳細に説明する。尚、以下において参照する各図面では互いに共通する部材に同一符号を付しており、それらについての重複する説明は省略する。
【００１８】
（第１実施形態）
図１は、本発明の第１実施形態における吊り金具１を示す図である。この吊り金具１は、天井スラブに取り付けられ、空気調和機などの天井構造物を吊り下げた状態に支持するための金具である。図１に示すように、吊り金具１は、断面が円形である金属製棒状体の外周面に雄螺子が形成された吊りボルト２と、その吊りボルト２の上下２箇所に取り付けられるブレース連結部３と、吊りボルト２の上部に取り付けられたブレース連結部３に対して予め固定される一対のブレース４とを備える構成である。ブレース４は、吊りボルト２と同様、断面が円形の金属製棒状体の外周面に雄螺子が形成された構成である。尚、以下においては、必要に応じて、吊りボルト２の上部に取り付けられるブレース連結部３を第１のブレース連結部３ａと称し、吊りボルト２の下部に取り付けられるブレース連結部３を第２のブレース連結部３ｂと称す。また一対のブレース４を区別する必要があるときには、それぞれをブレース４ａ，４ｂと称す。
【００１９】
図２は、ブレース連結部３（３ａ，３ｂ）を示す図である。ブレース連結部３は、吊りボルト２に装着される概略四角柱状の装着部３１と、その装着部３１の側面に溶接などによって固定されたＬ字型のアングル材３２と、アングル材３２の両端部に対して揺動可能に取り付けられる一対の連結アーム３３，３４とを有している。装着部３１は、その中央において上下方向に貫通し、吊りボルト２に形成された雄螺子と螺合する雌螺子が形成された螺子孔３１ａを有している。アングル材３２は、２つの先端部が装着部３１の外側に突出しており、それら２つの突出した部分で一対の連結アーム３３，３４を揺動可能に軸支する。連結アーム３３は、その基端部がボルトなどの連結部材３３ａによってアングル材３２の一方の突出した部分に揺動可能な状態で取り付けられる。また連結アーム３４は、その基端部がボルトなどの連結部材３４ａによってアングル材３２の他方の突出した部分に揺動可能な状態で取り付けられる。連結アーム３３が揺動する回動軸と、連結アーム３４が揺動する回動軸とは、互いに直交する。連結アーム３３、３４は、先端が９０°折り曲げられたＬ型アームとして構成される。連結アーム３３は、先端をＬ字状に折り曲げて形成される平板部３３ｂにブレース４を挿通するための孔３３ｃを有している。また連結アーム３４も同様であり、先端をＬ字状に折り曲げて形成される平板部３４ｂにブレース４を挿通するための孔３４ｃを有している。これらの孔３３ｃ，３４ｃは例えばブレース４の外径よりも若干大きい内径を有する円形孔として構成される。上記構成を有するブレース連結部３は、装着部３１に形成された螺子孔３１ａに吊りボルト２を螺入装着することにより、吊りボルト２の上下２箇所の所定位置に予め取り付けられる。
【００２０】
図３は、吊り金具１において第１及び第２のブレース連結部３ａ，３ｂが取り付けられた部分を拡大して示す図である。図３（ａ）に示すように、吊りボルト２の上部に取り付けられる第１のブレース連結部３ａは、吊りボルト２の上端部２１を所定長さＬ１だけ上方に突出させた位置に取り付けられる。この所定長さＬ１は、例えば吊り金具１を天井スラブに取り付ける際に、少なくとも天井スラブに設けられた螺子孔９ａに仮止めするために必要な長さとして予め調整される。そして第１のブレース連結部３ａに設けられた一対の連結アーム３３，３４のうち、一方の連結アーム３３にはブレース４ａの上端部が予め固定され、他方の連結アーム３４にはブレース４ｂの上端部が予め固定される。より具体的に説明すると、ブレース４ａは、その上端部が連結アーム３３の平板部３３ｂに設けられた孔３３ｃに挿通され、平板部３３ｂを挟んで複数のナット５が締着されることにより連結アーム３３に固定される。またブレース４ｂについても同様であり、上端部が連結アーム３４の平板部３４ｂに設けられた孔３４ｃに挿通され、平板部３４ｂを挟んで複数のナット５が締着されることにより連結アーム３４に固定される。このようにブレース４ａ，４ｂは、複数のナット５で各連結アーム３３，３４に固定されることにより、連結アーム３３，３４に対して各ブレース４ａ，４ｂの上端部が位置決めされた状態で固定される。それ故、ブレース４ａ，４ｂが連結アーム３３，３４に取り付けられた状態で平板部３３ｂ，３４ｂに対して上下方向にスライドすることを防止することができる。
【００２１】
これに対し、吊りボルト２の下部に取り付けられる第２のブレース連結部３ｂは、図３（ｂ）に示すように吊りボルト２の下端部２２を所定長さＬ２だけ下方に突出させた位置に取り付けられる。この所定長さＬ２は、例えば空気調和機などの天井構造物を取り付けるのに必要な長さに予め調整される。そして第２のブレース連結部３ｂに設けられた一対の連結アーム３３，３４には、図３（ｂ）に示すようにブレース４が連結されていない状態で吊り金具１が構成される。
【００２２】
次に上記のような吊り金具１を天井スラブに施工する際の施工手順について説明する。図４は、吊り金具１の施工例を示す図である。まず作業者は、上記のような吊り金具１を自走式リフト車などに載せて天井スラブ１０１の近傍位置まで上昇する。例えば施工対象となる天井スラブ１０１は、デッキプレート１００の上側に形成される。デッキプレート１００には吊り金具１の施工位置に予めインサート９が設置されており、デッキプレート１００の上面に天井スラブ１０１が打設されると、インサート９が天井スラブ１０１に埋設された状態となる。インサート９は、デッキプレート１００の下方空間に開口した螺子孔９ａを有している。このような螺子孔９ａは、天井構造物を設置する位置に対応して予め複数箇所に設けられている。
【００２３】
作業者は、自走式リフト車に乗った状態で天井スラブ１０１に設けられた複数の螺子孔９ａの１つに対して吊り金具１を施工する。すなわち、作業者は、吊りボルト２の下端部２２を保持した状態で上端部２１を螺子孔９ａに差し込んで仮止めし、更に下端部２２を右回り方向（Ｒ方向）に回転させることにより、吊りボルト２の上端部２１を螺子孔９ａにねじ込んで吊りボルト２を螺子孔９ａに固定する。このとき、吊りボルト２の下端部２２をチャックして回転させる工具を用いることにより、作業者は簡単に吊りボルト２の上端部２１を螺子孔９ａに挿入して固定することができる。吊りボルト２に予め装着されている第１及び第２のブレース連結部３ａ，３ｂは吊りボルト２に螺合しているため、作業者によって吊りボルト２が回転操作されると、吊りボルト２は第１及び第２のブレース連結部３ａ，３ｂに設けられた螺子孔３１ａを上方に向かって螺合進行する。そのため、ブレース連結部３ａ，３ｂが予め吊りボルト２に取り付けられた状態であっても、吊りボルト２の上端部２１を天井スラブ１０１の螺子孔９ａに埋入させることができる。
【００２４】
次に作業者は、天井スラブ１０１に設けられた別の螺子孔９ａに対し、上記と同様にして別の吊り金具１を施工する。これにより、図５に示すように、天井スラブ１０１に対して２つの吊り金具１が取り付けられた状態となる。図５に示す状態では、２つの吊りボルト２の上下２箇所にブレース連結部３が既に取り付けられており、しかも吊りボルト２の上部に取り付けられたブレース連結部３ａにはブレース４ａ，４ｂが既に取り付けられている。そのため、作業者は、吊り金具１を天井スラブ１０１に固定した後、ブレース連結部３を吊りボルト２に対して別途取り付ける作業を行う必要がないため、作業効率が向上する。
【００２５】
続いて作業者は、天井スラブ１０１に固定された２つの吊り金具１のうち、第１の吊り金具１ａに予め取り付けられているブレース４ｂの下端部を第２の吊り金具１ｂに設けられている第２のブレース連結部３ｂの連結アーム３３に対して連結する。すなわち、作業者は、ブレース４ｂの下端部を連結アーム３３の平板部３３ｂに設けられた孔３３ｃに挿入し、図６に示すように平板部３３ｂを挟んで２つのナット６，７を締着することにより、ブレース４ｂの下端部を第２の吊り金具１ｂの下部に設けられた第２のブレース連結部３ｂに固定する。このとき、平板部３３ｂの上部に締着するナット７として半割ナットを用いることにより、先に平板部３３ｂの下部にナット６を装着した場合であっても、平板部３３ｂの上部にナット７を装着することができ、作業効率がより一層向上する。
【００２６】
また作業者は、天井スラブ１０１に固定された２つの吊り金具１のうち、第２の吊り金具１ｂに予め取り付けられているブレース４ａの下端部を第１の吊り金具１ａに設けられている第２のブレース連結部３ｂの連結アーム３４に対して連結する。すなわち、作業者は、ブレース４ａの下端部を連結アーム３４の平板部３４ｂに設けられた孔３４ｃに挿入し、図６に示すように平板部３４ｂを挟んで２つのナット６，７を締着することにより、ブレース４ａの下端部を第１の吊り金具１ａの下部に設けられた第２のブレース連結部３ｂに固定する。このときもまた、平板部３４ｂの上部に締着するナット７として半割ナットを用いることにより、上述したように作業効率をより一層向上させることができる。この作業が終了すると、２つの吊りボルト２の間に２つのブレース４ａ，４ｂが交叉配置された状態となり、地震発生時において吊りボルト２の振動を抑制することができるようになる。そして２つのブレース４ａ，４ｂの交叉部Ｃに固定金具４０を取り付け、交叉部Ｃにおいて２つのブレース４ａ，４ｂが互いに密着した状態に強固に固定する。これにより、吊りボルト２の振動抑制効果がより一層向上する。尚、固定金具４０としては、例えば特開２０１５−１７３９１号公報などに開示されたブレース固定金具などを用いることができる。
【００２７】
上記のような作業により、例えば空気調和機などの天井構造物を支持するために４つの吊り金具１ａ，１ｂ，１ｃ，１ｄを天井スラブ１０１に施工した状態を、図７に示す。図７に示すように、４つの吊り金具１ａ，１ｂ，１ｃ，１ｄを天井スラブ１０１に取り付け、合計８本のブレース４を斜め方向に配設し、更に２本のブレース４が交叉する部分に固定金具４０を取り付けて施工を完了するまでに要する時間は、数分から十数分程度である。すなわち、本実施形態では、吊りボルト２の上下２箇所にブレース連結部３を予め螺合装着しており、しかも上部のブレース連結部３に対して一対のブレース４の上端部を予め固定した構成であるため、吊りボルト２を天井スラブ１０１の螺子孔９ａに取り付けるときには、ブレース４を取り付けた状態のままで吊りボルト２を天井スラブ１０１に取り付けることが可能であるため、従来よりも作業効率が著しく改善されるのである。その後、図８に示すように４つの吊りボルト２の下端部に空気調和機などの天井構造物を取り付けることにより、全ての作業が完了する。
【００２８】
以上のように本実施形態の吊り金具１は、外周面に雄螺子が形成された吊りボルト２の上下２箇所にブレース４を連結するためのブレース連結部３が予め取り付けられており、吊りボルト２の上端側に取り付けられたブレース連結部３ａには、予め一対のブレース４の上端部が固定されている。そのため、吊りボルト２を天井スラブ１０１の螺子孔９ａに取り付けるときには、ブレース連結部３及び一対のブレース４を一体的に取り付けることが可能である。そしてブレース連結部３は吊りボルト２の外周面に形成された雄螺子に螺合した状態に取り付けられるため、吊りボルト２を天井スラブ１０１の螺子孔９ａにねじ込むときには、上下２箇所のブレース連結部３を吊りボルト２と供回りさせることなく、ねじ込んでいくことが可能であり、作業性に優れている。それ故、本実施形態の吊り金具１は、従来よりも少ない工程で施工を完了させることが可能であり、作業時間を大幅に短縮できるという利点がある。
【００２９】
また本実施形態の吊り金具１は、ブレース４を連結アーム３３，３４に固定するとき、平板部３３ｂ，３４ｂを挟んで複数のナット５，５又は６，７が締着される。そのため、ブレース４は、連結アーム３３，３４の平板部３３ｂ，３４ｂに対してスライドなどが生じないように位置決めされた状態に固定される。特に吊りボルト２の上部において第１のブレース連結部３ａの平板部３３ｂ，３４ｂを挟んで予め複数のナット５，５を強固に締め付けておくことにより、吊り金具１の搬送中などにおいてブレース４が平板部３３ｂ，３４ｂの孔３３ｃ，３４ｃから離脱してしまうことがなくなるため、運搬作業なども行い易いという利点がある。
【００３０】
尚、上述のナット７は、半割ナットではなく、予めブレース４ａ，４ｂに取り付けられたものであっても良い。その場合は、吊り金具１の施工時にナット７をブレース４ａ，４ｂに取り付ける作業を省略できるため、より一層作業効率が向上する。
【００３１】
（第２実施形態）
次に本発明の第２実施形態について説明する。図９及び図１０は、第２実施形態における吊り金具１０を示す図である。この吊り金具１０もまた、天井スラブに取り付けられ、空気調和機などの天井構造物を吊り下げた状態に支持するための金具である。本実施形態の吊り金具１０は、第１実施形態で説明した２つの吊り金具１を予め１つに組み合わせて連結したものである。すなわち、吊り金具１０は、第１の吊り金具１ａ（以下、単に「第１の金具１ａ」という。）と、第２の吊り金具１ｂ（以下、単に「第２の金具１ｂ」という。）とを有する。
【００３２】
第１の金具１ａは、外周面に雄螺子が形成された第１の吊りボルト２ａと、第１の吊りボルト２ａの上部において雄螺子と螺合した状態に取り付けられ、揺動可能な一対の連結アーム３３，３４を有する第１のブレース連結部３ａと、第１の吊りボルト２ａの下部において雄螺子と螺合した状態に取り付けられ、揺動可能な一対の連結アーム３３，３４を有する第２のブレース連結部３ｂと、第１のブレース連結部３ａに設けられる一対の連結アーム３３，３４のそれぞれに対して予め上端部が固定される一対のブレース４ａ，４ｂとを備えている。
【００３３】
第２の金具１ｂもまた、第１の金具１ａと同様に、外周面に雄螺子が形成された第２の吊りボルト２ｂと、第２の吊りボルト２ｂの上部において雄螺子と螺合した状態に取り付けられ、揺動可能な一対の連結アーム３３，３４を有する第３のブレース連結部３ｃと、第２の吊りボルト２ｂの下部において雄螺子と螺合した状態に取り付けられ、揺動可能な一対の連結アーム３３，３４を有する第４のブレース連結部３ｄと、第３のブレース連結部３ｃに設けられる一対の連結アーム３３，３４のそれぞれに対して予め上端部が固定される一対のブレース４ｃ，４ｄとを備えている。
【００３４】
そして本実施形態の吊り金具１０は、第１の金具１ａに設けられる一対のブレース４ａ，４ｂのうちの一方のブレース４ｂの下端部が第２の金具１ｂの第４のブレース連結部３ｄに設けられる一対の連結アーム３３，３４のうちの一方の連結アーム３３に装着され、第２の金具１ｂに設けられる一対のブレース４ｃ，４ｄのうちの一方のブレース４ｃの下端部が第１の金具１ａの第２のブレース連結部３ｂに設けられる一対の連結アーム３３，３４のうちの一方の連結アーム３４に装着された構成である。
【００３５】
より具体的に説明すると、第１の金具１ａの上部に固定されたブレース４ｂは、その下端部が第２の金具１ｂの下部に設けられた第４のブレース連結部３ｄの連結アーム３３に設けられた平板部３３ｂの孔３３ｃに挿入される。そして図９に示すように、そのブレース４ｂの先端部４１には、平板部３３ｂから離間した位置にナット６が予め装着されると共に、平板部３３ｂを挟んでナット６の反対側にナット７が予め装着された構成である。同様に、第２の金具１ｂの上部に連結されたブレース４ｃは、その下端部が第１の金具１ａの下部に設けられた第２のブレース連結部３ｂの連結アーム３４に設けられた平板部３４ｂの孔３４ｃに挿入される。そして図９に示すように、そのブレース４ｃの先端部４１には、平板部３４ｂから離間した位置にナット６が予め装着されると共に、平板部３４ｂを挟んでナット６の反対側にナット７が予め装着された構成である。ブレース４ｂ，４ｃの先端部４１に予めナット６が装着されることにより、ブレース４ｂ，４ｃの下端部が連結アーム３３，３４の孔３３ｃ，３４ｃから離脱してしまうことを防止することができる。
【００３６】
上記のようにブレース４ｂ，４ｃの連結された連結アーム３３，３４は揺動可能であるため、図９において矢印Ｆ１で示すように２つの吊りボルト２ａ，２ｂを互いに離間させる方向に引っ張ると、吊り金具１０を図１０に示すように展開させることができる。尚、２つの吊りボルト２ａ，２ｂ間の距離を一定以上広げると、ブレース４ｂ，４ｃの下端部に装着したナット６がストッパとなるため、ブレース４ｂ，４ｃの下端部が連結アーム３３，３４の孔３３ｃ，３４ｃから抜けてしまうことはない。また、図１０に示すように展開した状態から矢印Ｆ２で示すように２つの吊りボルト２ａ，２ｂ間の距離を縮めると、図９に示すように吊り金具１０をコンパクトな状態に折りたたむことができる。そのため、吊り金具１０を搬送する際には、図９に示すように吊り金具１０を折りたたんだ状態にすれば比較的簡単に搬送することができる。尚、ブレース４ｂ，４ｃに予め装着されるナット６とナット７との間隔は、図９に示す折りたたみ状態と、図１０に示す展開状態との間で吊り金具１０の形態を変化させるときに平板部３３ｂ，３４ｂと干渉せず、ブレース４ｂ，４ｃが孔３３ｃ，３４ｃに挿通された状態でルーズにスライドできるように所定間隔以上に予め調整される。
【００３７】
次に上記のような吊り金具１０を天井スラブに施工する際の施工手順について説明する。図１１は、吊り金具１０の施工例を示す図である。まず作業者は、上記のような吊り金具１０を自走式リフト車などに載せて天井スラブ１０１の近傍位置まで上昇する。そして作業者は、自走式リフト車に乗った状態で吊り金具１０を展開し、天井スラブ１０１に設けられた複数の螺子孔９ａの対して吊り金具１０を施工する。すなわち、作業者は、２つの吊りボルト２ａ，２ｂの下端部２２を保持した状態で一方の吊りボルト２ａの上端部２１を１つ目の螺子孔９ａに差し込んで仮止めし、次に他方の吊りボルト２ｂの上端部２１を２つ目の螺子孔９ａに差し込んで仮止めする。その後、作業者は、工具などを用いて２つの吊りボルト２ａ，２ｂの下端部２２を右回り方向（Ｒ方向）に回転させることにより、吊りボルト２ａ，２ｂの上端部２１をそれぞれの螺子孔９ａにねじ込んで吊りボルト２ａ，２ｂを天井スラブ１０１に固定する。吊りボルト２ａ，２ｂに予め装着されているブレース連結部３ａ，３ｂ，３ｃ，３ｄは吊りボルト２ａ，２ｂに螺合しているため、作業者によって吊りボルト２ａ，２ｂのそれぞれが回転操作されると、吊りボルト２ａ，２ｂはブレース連結部３ａ，３ｂ又は３ｃ，３ｄに設けられた螺子孔３１ａを上方に向かって螺合進行する。このとき、ブレース連結部３ａ，３ｂ，３ｃ，３ｄは吊りボルト２ａ，２ｂと供回りすることがない。そのため、ブレース連結部３ａ，３ｂ，３ｃ，３ｄが予め吊りボルト２ａ，２ｂに取り付けられた状態であっても、吊りボルト２ａ，２ｂの上端部２１を天井スラブ１０１の螺子孔９ａに埋入させることができる。そして本実施形態では、２つの吊りボルト２ａ，２ｂを天井スラブ１０１に固定すると、それら２つの吊りボルト２ａ，２ｂの間で２つのブレース４ｂ，４ｃが互いに交叉した状態となる。
【００３８】
続いて作業者は、２つのブレース４ｂ，４ｃの下端部を固定する作業を行う。本実施形態では、各ブレース４ｂ，４ｃの下端部が予め連結アーム３３，３４に設けられた孔３３ｃ，３４ｃに挿入されており、しかもその先端部４１には予めナット６が装着され、更にブレース４ｂ，４ｃの中央部にはナット７が装着されている。そのため、２つのブレース４ｂ，４ｃの下端部を固定するときには、作業者は、各ブレース４ｂ，４ｃに予め装着されているナット６，７を締め付ければ良い。すなわち、予め装着されている２つのナット６，７を締め付けることにより、ブレース４ｂ，４ｃの下端部を連結アーム３３，３４の平板部３３ｂ，３４ｂに対して強固に固定することができるため、第１実施形態よりも効率的に各ブレース４ｂ，４ｃの下端部を固定することができる。尚、ナット７は、第１実施形態で説明したように半割ナットで構成されるものであっても構わない。ただし、半割ナットの場合には、ブレース４ｂ，４ｃに対してナット７を装着する工程が必要であるため、予めナット７を取り付けておくことが好ましい。その後、２つのブレース４ｂ，４ｃの交叉部Ｃに上述した固定金具４０を取り付けることにより、交叉部Ｃを強固に固定する。その結果、図６と同様に、２本の吊りボルト２ａ，２ｂの間に２つのブレース４ｂ，４ｃが交叉した状態で固定されるため、地震発生時において吊りボルト２ａ，２ｂの振動を抑制することができるようになる。
【００３９】
例えば空気調和機などの天井構造物を支持するために４本の吊りボルトを取り付ける必要があるときには、上述した作業をもう一度別の吊り金具１０に対して行うと共に、２つの吊り金具１０の間でブレース４を交叉させることにより、図７に示した状態に吊り金具１０を施工することができる。そして本実施形態では、第１実施形態よりも工程数を削減できるため、図７に示す状態に施工できるまでに要する作業時間を第１実施形態の吊り金具１を用いる場合よりも短くすることができ、作業効率がより一層向上する。
【００４０】
このように本実施形態の吊り金具１０は、第１の金具１ａと第２の金具１ｂとを予め組み付けて一体化したものであり、第１の金具１ａの上部に固定される一対のブレース４ａ，４ｂのうちの一方のブレース４ｂの下端部が第２の金具１ｂの下部に設けられる一対の連結アーム３３，３４のうちの一方の連結アーム３３に予め装着されると共に、第２の金具１ｂに設けられる一対のブレース４ｃ，４ｄのうちの一方のブレース４ｃの下端部が第１の金具１ｂの下部に設けられる一対の連結アーム３３，３４のうちの一方の連結アーム３４に予め装着された構成である。そのため、本実施形態では、２つの吊りボルト２ａ，２ｂを天井スラブ１０１の螺子孔９ａに固定した後に、ブレース４ｂ，４ｃの下端部を連結アーム３３，３４の孔３３ｃ，３４ｃに挿入して装着する作業を行う必要がないため、第１実施形態の吊り金具１を用いる場合よりも効率的に施工することが可能である。つまり、本実施形態の吊り金具１０は、従来よりも少ない工程で施工を完了させることができるだけでなく、第１実施形態の吊り金具１よりも工程数を少なくできるので、作業時間を著しく短縮できるという利点がある。
【００４１】
（変形例）
以上、本発明に関する幾つかの実施形態について説明したが、本発明は上記実施形態において説明したものに限定されるものではなく、種々の変形例が適用可能である。
【００４２】
例えば上記実施形態ではブレース連結部３の連結アーム３３，３４に設けられた孔３３ｃ，３４ｃが円形孔である場合を例示しているが、これに限られるものではなく、例えば平板部３３ｂ，３４ｂの周縁部からＵ字状に切り欠いて形成したＵ字孔（切欠開口部）であっても構わない。例えば、吊りボルト２の下部に設けられるブレース連結部３では、連結アーム３３，３４に設けられる孔３３ｃ，３４ｃをＵ字孔としても良い。この場合は、ブレース４を斜め方向に配設する際に、Ｕ字孔の切欠部からＵ字孔の奥部へブレース４を装着することができるため、ブレース４の装着作業が簡単になる。またこの場合は、吊りボルト２の下部に設けられたブレース連結部３に予め装着されていないブレース４の下端部に対し、ナット６，７を予め装着しておくことができるため、作業効率がより一層向上する。ただし、第２実施形態においてブレース４ｂ，４ｃの下端部を予め装着しておく連結アーム３３，３４に関しては、ブレース４ｂ，４ｃの離脱を防止するため、孔３３ｃ，３４ｃを円形孔として構成しておくことが好ましい。
【００４３】
また第１実施形態で説明した吊り金具１を４つ升状に予め組み付けた吊り金具を構成しても良い。ただし、第１実施形態の吊り金具１を４つ組み付けると、吊り金具自体の重量が大きくなり、しかも吊り金具を展開して天井スラブに固定するときには比較的大きな作業空間が必要となる。そのため、搬送の容易さや、作業効率の観点からすると、第２実施形態で説明したように、第１実施形態で説明した吊り金具１を２つ組み付けた状態の吊り金具１０が最も作業効率の優れたものである。
【符号の説明】
【００４４】
１，１０  吊り金具
１ａ，１ｂ  吊り金具（金具）
２（２ａ，２ｂ）  吊りボルト
３（３ａ，３ｂ，３ｃ，３ｄ）  ブレース連結部
４（４ａ，４ｂ，４ｃ，４ｄ）  ブレース
５，６，７  ナット
３３，３４  連結アーム
３３ｂ，３４ｂ  平板部
３３ｃ，３３ｄ  孔
【図１】
2016205436.tif 000003
【図２】
2016205436.tif 000004
【図３】
2016205436.tif 000005
【図４】
2016205436.tif 000006
【図５】
2016205436.tif 000007
【図６】
2016205436.tif 000008
【図７】
2016205436.tif 000009
【図８】
2016205436.tif 000010
【図９】
2016205436.tif 000011
【図１０】
2016205436.tif 000012
【図１１】
2016205436.tif 000013